(57)【特許請求の範囲】
【請求項１】
筒状で先端の内側にテーパー面を有するラッチアウトリングと、この先端部内に基端部が摺動可能に嵌入されたラッチケースと、この基端に枢着されると共に、前記ラッチアウトリングの基端部内にシールパッキンを介して摺動可能に挿入され、前記ラッチアウトリングとの間に第１の油室が形成されたシリンダボディとを具備し、
前記シリンダボディは、円筒状で、基端部の軸心に配設されたメーンシャフトとの間に圧縮ばねが配設され、前記メーンシャフト先端のピストンボディが前記圧縮ばねにより弾発付勢され、シリンダーボディの円筒状の先端はプラグで閉塞され、前記ピストンボディとプラグとの間には第２の油室が形成され、かつ、前記第２の油室と前記第１の油室とがシリンダーボディの孔で連通しており、
前記ラッチケースには、ラッチが枢着され、このラッチの一方端は弾発付勢された状態で前記ラッチアウトリングのテーパ面に接触し、前記シリンダーボディとラッチケースとの軸方向移動と共に開閉し、他端のラッチの爪を開閉することを特徴とするワイヤラインサンプラーのオーバーショット。
【請求項２】
前記圧縮ばねは、圧縮コイルばねで、前記シールパッキンはＯリングであることを特徴とする請求項１記載のワイヤラインサンプラーのオーバーショット。
【発明の詳細な説明】
【０００１】
【発明の属する技術分野】
本発明は、ボーリング機で地盤を削孔し、試料のコアを採取するワイヤラインサンプラーのオーバーショットに関するものである。
【０００２】
【従来の技術】
ワイヤラインサンプラー１とは、図２に示すようにドリルロッド５０の先端に接続して地盤を削孔し、試料のコアを採取するための装置で、先端にリング状のコアビット１３が装着されたアウタチューブアセンブリ１０と、これに挿入されたコアインナチューブアセンブリ３０とから成り、１回分のコアが採取されると、ドリルロッド５０内にオーバーショットが挿入され、基端のスピア３１ａに係合し、コア採取が完了したコアインナチューブアセンブリ３０はオーバーショットのアイボルトに結ばれたワイヤにより地上へ引き上げられる。
【０００３】
コアインナチューブアセンブリ３０は、ラッチ３１ｂを介して、アウタチューブアセンブリ１０の内側の凹陥部１０ａと着脱可能に係合しており、コアバレルヘッド３１はアウタチューブアセンブリ１０と共に回転し、コアが収納されるインナチューブ３２はベアリングケース３１ｃ内のベアリングにより回動自在となっている。
従って、削孔中には、インナチューブ３２は回転せず、軸方向にコアが侵入して収納されるようになっている。
【０００４】
【発明が解決しようとする課題】
しかるに、従来のオーバーショットはスピア３１ａをキャッチするとアウタチューブアセンブリ１０内ではスピア３１ａを解放することができなかった。
従って、コアインナチューブアセンブリ３０がアウタチューブアセンブリ１０に噛み込んでしまった場合は、強引にオーバーショットを地上から引張ってワイヤーを切るか、オーバーショット内部のシャーピンを剪断しなければならなかった。
【０００５】
しかし、オーバーショットの強引は、オーバーショットの破損原因となるだけでなく、ワイヤやシャーピンに予備がなければ作業中断となり、またワイヤやシャーピンの取り替えに手間と時間がかかる欠点があった。
【０００６】
本発明は、前述した事情に鑑みてなされたものであり、スピア３１ａをキャッチした状態で、アイボルトに接続されたワイヤを所定の力以上で引くと、ラッチが解放するよう構成されたワイヤラインサンプラーのオーバーショットを提供するものである。
【０００７】
【課題を解決するための手段】
前記目的を達成する本発明のワイヤラインサンプラーのオーバーショットは、筒状で先端の内側にテーパー面を有するラッチアウトリングと、この先端部内に基端部が摺動可能に嵌入されたラッチケースと、この基端に枢着されると共に、前記ラッチアウトリングの基端部内にシールパッキンを介して摺動可能に挿入され、前記ラッチアウトリングとの間に第１の油室が形成されたシリンダーボディとを具備し、
前記シリンダーボディは、円筒状で、基端部の軸心に配設されたメーンシャフトとの間に圧縮ばねが配設され、前記メーンシャフト先端のピストンボディが前記圧縮ばねにより弾発付勢され、シリンダーボディの円筒状の先端はプラグで閉塞され、前記ピストンボディとプラグとの間には第２の油室が形成され、かつ、前記第２の油室と前記第１の油室とがシリンダーボディの孔で連通しており、
前記ラッチケースには、ラッチが枢着され、このラッチの一方端は弾発付勢された状態で前記ラッチアウトリングのテーパ面に接触し、前記シリンダーボディとラッチケースとの軸方向移動と共に開閉し、他端のラッチの爪を開閉することを特徴とする。
【０００８】
また、前記圧縮ばねは、圧縮コイルばねで、前記シールパッキンはＯリングであることを特徴とする。
【０００９】
【発明の実施の形態】
以下、添付図に基づいて本発明の実施の形態を説明する。
図１は本発明の一実施の形態を示すオーバーショットの断面図、図２はワイヤラインサンプラーの図で、（ａ）は断面を、（ｂ）は正面を示す。
オーバーショット４０はラッチアウトリング４１と、この先端部内に摺動可能に嵌入されたラッチケース４２と、ラッチアウトリング４１の基端部内にＯリング４１ａを介して摺動可能に嵌入されたシリンダーボディ４３とを具備し、シリンダーボディ４３の先端はスプリングピン４３ａを介してラッチケース４２の基端に枢着され、共にラッチアウトリング４１内を軸方向に移動するようになっている。
【００１０】
シリンダーボディ４３の基端部は円筒状で外周にＯリング４１ａが取り付けられ、ラッチアウトリング４１の基端内側のＯリング４１ａとで第１の油室１ａが形成され、後述する第２の油室２ａとの間を連通する孔４３ｃが設けられて軸心にはメーンシャフト４４が通っている。
メーンシャフト４４の先端にはピストンボディ４４ａが取り付けられ、このピストンボディ４４ａとメーンシャフト４４間はＯリング４４ｂで、シリンダーボディ４３内側との間もＯリング４４ｃでそれぞれシールされており、ピストンボディ４４ａと、シリンダーボディ４３先端のプラグ４３ｂとの間には、第２の油室２ａが形成されている。
【００１１】
そして、メーンシャフト４４とシリンダーボディ４３との間には圧縮コイルばね４５が配設され、ピストンボディ４４ａを軸方向に弾発付勢している。従ってメーンシャフト４４も軸方向に弾発付勢されている。
４２はラッチケースで、前述のようにスプリングピン４３ａを介してシリンダーボディ４３の先端に枢着されており、その中間にはラッチ４２ａが枢着されている。
ラッチ４２ａの一方端はラッチアウトリング４１先端内側のテーパ面４１ｂに接触しており、前記一方端はコイルばね４２ｂにより開く方向へ弾発付勢され、テーパ面４１ｂに圧接している。
【００１２】
そして、ラッチ４２ａの他端の爪４２ｃは、ラッチケース４２がシリンダーボディ４３と共に、左方向へ移動すると、ラッチ４２ａの一方端がラッチアウトリング４１のテーパ面４１ｂで閉じられるので、他端の爪４２ｃが開放される。
【００１３】
スピア３１ａ（図２）をオーバショット４０のラッチ４２ａの爪４２ｃがキャッチした状態で、所定の力でアイボルト２に結ばれた図示しないワイヤを引くと次のように作動する。
(1) スピア３１ａをキャッチした状態で、ワイヤを引くと、図１のメーンシャフト４４が左へ移動しようとする。
【００１４】
(2) 圧縮コイルばね４５の強度以上の力でワイヤを引くと、ピストンボディ４４ａが左へ移動する。
【００１５】
(3)この時、第１の油室１ａ及び第２の油室２ａには作動油が充填してあるため、ピストンボディ４４ａの移動に伴い第１の油室１ａの作動油は第２の油室２ａに流入する。
【００１６】
(4)作動油の移動で、ラッチアウトリング４１がラッチケース４２に対して右側へ移動する。
【００１７】
(5)ラッチアウトリング４１にラッチ４２ａの一方端外径を内径方向に押され、ラッチ４２ａの他端の爪４２ｃが開放される。
【００１８】
前記解放荷重は圧縮コイルばね４５の強弱で調整でき、その交換は、図１のボルト３ａの着脱で簡単に行うことができる。
図において、ラッチ４２ａの２点鎖線で示された片側（下側）はラッチ４２ａの爪４２ｃが解放した状態を示す。
また、図１において、３はガイドリングで、これの交換によりロッドサイズの変更に対応することができる。
【００１９】
図１において、４はピストンケースで、ピストン４ａ，４ｂが組み込んであり、削孔が水平に近い場合、水圧により送り込むためのもので、これを外し、ボルト孔４４ｄに図示しないロッドを介してハンマを接続すれば垂直用となる。この場合、ハンマの上端にアイボルトを螺着する。
【００２０】
本実施の形態では、ばねの力と流体の移動を利用しているが、リング機構やカム機構など、機械構造的にラッチを解放する機構も考えられる。
【００２１】
【発明の効果】
以上説明した本発明によれば下記のような効果を奏するものである。
(1) コアインナチューブアセンブリがアウタチューブアセンブリに噛み込んだ状態となり、抜けない時でも、ワイヤを強く引張ることでオーバーショットのラッチが外れるので、オーバーショットの破損が防止できる。
【図面の簡単な説明】
【図１】本発明の一実施の形態を示すオーバーショットの断面図である。
【図２】ワイヤラインサンプラーの図で、（ａ）は断面を（ｂ）は正面を示す。
【符号の説明】
１  ワイヤラインサンプラー
１ａ  第１の油室
２ａ  第２の油室
４０  オーバーショット
４１  ラッチアウトリング
４１ａ  Ｏリング
４１ｂ  テーパ面
４２  ラッチケース
４２ａ  ラッチ
４２ｃ  爪
４３  シリンダーボディ
４３ｂ  プラグ
４３ｃ  孔
４４  メーンシャフト
４４ａ  ピストンボディ
４５  圧縮コイルばね
【図１】
0003765091.tif 000002
【図２】
0003765091.tif 000003